(57)【要約】【課題】生体情報を取得するセンサの誤用を防止する。【解決手段】センサ２は、患者４に装着される。情報取得装置３は、センサ２を通じて患者４の生体情報を取得する。第一メモリ２１は、センサ２に設けられており、センサ２が使用されるサイトを示す第一サイト情報２１１を記憶している。第二メモリ３２は、情報取得装置３に設けられており、情報取得装置３が使用されるサイトを示す第二サイト情報３２１を記憶している。プロセッサ３１は、情報取得装置３に設けられている。プロセッサ３１は、第一サイト情報２１１と第二サイト情報３２１が一致していない場合、情報取得装置３に報知を行なわせる。【選択図】図１
2019005159.tif 000002
【特許請求の範囲】
【請求項１】
生体に装着されるセンサと、
前記センサを通じて前記生体の生体情報を取得する情報取得装置と、
前記センサに設けられており、かつ前記センサが使用されるサイトを示す第一サイト情報が記憶されている第一メモリと、
前記情報取得装置に設けられており、かつ前記情報取得装置が使用されるサイトを示す第二サイト情報が記憶されている第二メモリと、
前記情報取得装置に設けられているプロセッサと、
を備えており、
前記プロセッサは、前記第一サイト情報と前記第二サイト情報が一致していない場合に前記情報取得装置に報知を行なわせる、
生体情報処理システム。
【請求項２】
前記報知は、前記第一サイト情報を含んでいる、
請求項１に記載の生体情報処理システム。
【請求項３】
前記報知が行なわれた場合、前記プロセッサは、前記情報取得装置に前記センサの使用を制限させる、
請求項１または２に記載の生体情報処理システム。
【請求項４】
前記第一サイト情報は、前記センサが使用される複数のサイトを示している、
請求項１から３のいずれか一項に記載の生体情報処理システム。
【請求項５】
前記プロセッサは、使用履歴情報として前記第二サイト情報を前記第一メモリに記録する、
請求項１から４のいずれか一項に記載の生体情報処理システム。
【請求項６】
前記プロセッサは、前記センサを通じて前記生体情報の取得が行なわれた後に前記第二サイト情報を前記第一メモリに記録する、
請求項５に記載の生体情報処理システム。
【請求項７】
前記報知は、前記使用履歴情報を含んでいる、
請求項５または６に記載の生体情報処理システム。
【請求項８】
前記プロセッサは、前記使用履歴情報が示す前記センサがこれまでに使用された複数のサイトが所定の順序である場合、前記情報取得装置に報知を行なわせる、
請求項５から７のいずれか一項に記載の生体情報処理システム。
【請求項９】
前記プロセッサは、前記情報取得装置に前記使用履歴情報を外部の管理装置へ通知させる、
請求項５から８のいずれか一項に記載の生体情報処理システム。
【請求項１０】
前記情報取得装置の動作条件を示す条件情報が前記第一メモリに記憶されており、
前記プロセッサは、前記第一サイト情報と前記第二サイト情報が一致する場合、前記条件情報に応じた設定に基づいて前記情報取得装置に前記生体情報の取得を行なわせる、
請求項１から９のいずれか一項に記載の生体情報処理システム。
【請求項１１】
前記センサは、
前記生体に装着される装着部と、
前記情報取得装置との通信を可能にするコネクタと、
を備えており、
前記第一メモリは、前記コネクタに設けられている、
請求項１から１０のいずれか一項に記載の生体情報処理システム。
【請求項１２】
前記生体情報は、動脈血酸素飽和度を含んでいる、
請求項１から１１のいずれか一項に記載の生体情報処理システム。
【請求項１３】
生体情報を取得するために生体に装着されるとともに情報取得装置と通信可能なセンサであって、
当該センサが使用されるサイトの情報を記憶可能なメモリを備えている、
センサ。
【請求項１４】
前記生体に装着される装着部と、
前記情報取得装置との通信を可能にするコネクタと、
を備えており、
前記メモリは、前記コネクタに設けられている、
請求項１３に記載のセンサ。
【発明の詳細な説明】
【技術分野】
【０００１】
本発明は、生体情報を取得するために生体に装着されるとともに情報取得装置と通信可能なセンサに関する。また、本発明は、当該情報取得装置と当該センサを備えている生体情報処理システムに関する。
【背景技術】
【０００２】
特許文献１は、生体情報システムの一例であるベッドサイドモニタシステムを開示している。ベッドサイドモニタシステムは、センサの一例であるＳｐＯ２プローブと、情報取得装置の一例であるベッドサイドモニタとを備えている。ＳｐＯ２プローブは、生体に装着されるとともに、ベッドサイドモニタと通信可能に接続される。ベッドサイドモニタは、ＳｐＯ２プローブを通じて生体情報を取得し当該生体の動脈血酸素飽和度（ＳｐＯ２）を算出する。
【先行技術文献】
【特許文献】
【０００３】
【特許文献１】特許３９５８３５３号公報
【発明の概要】
【発明が解決しようとする課題】
【０００４】
医療施設は、多くのサイトを備えている。サイトは、特定の利用目的を有する場所を意味する。サイトの例としては、救命医療エリア、集中治療室、新生児集中治療室、手術室、検査室、病棟、ＭＲＩ検査室などが挙げられる。
【０００５】
上記のような情報取得装置は、各サイトに設置されている。上記のようなセンサは、規格が一致していればどのサイトに設置されている情報取得装置にも接続可能である。したがって、あるサイトである患者に使用されたセンサが、当該患者ともに別のサイトへ移動し、当該別のサイトで別の情報取得装置に接続される場合がありうる。その結果、各サイトにおけるセンサの在庫情報に不慮の変動が生じうる。
【０００６】
また、別のサイトへ移動したセンサが誤用される虞が生じる。例えば、新生児用のセンサが小児に装着される虞が生じる。
【０００７】
本発明は、生体情報を取得するセンサの誤用を防止することを目的とする。
【課題を解決するための手段】
【０００８】
上記の目的を達成するための一態様は、生体情報処理システムであって、
生体に装着されるセンサと、
前記センサを通じて前記生体の生体情報を取得する情報取得装置と、
前記センサに設けられており、かつ前記センサが使用されるサイトを示す第一サイト情報が記憶されている第一メモリと、
前記情報取得装置に設けられており、かつ前記情報取得装置が使用されるサイトを示す第二サイト情報が記憶されている第二メモリと、
前記情報取得装置に設けられているプロセッサと、
を備えており、
前記プロセッサは、前記第一サイト情報と前記第二サイト情報が一致していない場合に前記情報取得装置に報知を行なわせる。
【０００９】
第一サイト情報と第二サイト情報が一致しているという比較結果は、センサが適切なサイトで使用されている事実を示している。他方、第一サイト情報と第二サイト情報が一致していないという比較結果は、何らかの理由によって本来はそのサイトに存在しないセンサが情報取得装置と通信を行なっているという事実を示している。例えば、別のサイトで別の患者に使用されたセンサが当該患者とともに情報取得装置が設置されているサイトに移動して来たという原因が考えられる。したがって、報知は、ユーザに当該事実を認識させ、センサの交換を促すものでありうる。これにより、センサの誤用を防止できる。
【００１０】
よって、上記の目的を達成するための別態様は、生体情報を取得するために生体に装着されるとともに情報取得装置と通信可能なセンサであって、当該センサが使用されるサイトの情報を記憶可能なメモリを備えている。
【図面の簡単な説明】
【００１１】
【図１】一実施形態に係る生体情報処理システムの機能構成を示している。
【図２】上記生体情報処理システムの情報取得装置が行なう処理の例を示している。
【図３】上記生体情報処理システムのセンサの構成の一例を示している。
【発明を実施するための形態】
【００１２】
添付の図面を参照しつつ、実施形態の例について以下詳細に説明する。
【００１３】
図１は、一実施形態に係る生体情報処理システム１の機能構成を模式的に示している。生体情報処理システム１は、センサ２と情報取得装置３を備えている。センサ２は、患者４（生体の一例）に装着される。情報取得装置３は、センサ２を通じて患者４の生体情報を取得する。すなわち、センサ２は、情報取得装置３と通信可能である。
【００１４】
センサ２の例としては、生体情報として患者４の動脈血酸素飽和度を取得するためのＳｐＯ２プローブ、生体情報として患者４の心電図を取得するための心電図電極、生体情報として患者４の脳波を取得するための脳波電極、生体情報として患者４の非観血血圧を取得するためのカフなどが挙げられる。情報取得装置３の例としては、ベッドサイドモニタなどが挙げられる。
【００１５】
センサ２は、第一メモリ２１を備えている。第一メモリ２１は、半導体メモリなどによって構成されうる。第一メモリ２１には、センサ２が使用されるサイトを示す第一サイト情報２１１が記憶されている。サイトの例としては、救命医療エリア、集中治療室、新生児集中治療室、手術室、検査室、病棟、ＭＲＩ検査室などが挙げられる。
【００１６】
第一サイト情報２１１は、センサ２が使用される前に、ユーザによって所定の情報書込装置を通じて書き込まれる。情報取得装置３が当該情報書込装置として機能してもよい。あるいは、特定用途のセンサ２（手術室でしか使用できないセンサなど）の場合は、製造時に予め書き込まれうる。
【００１７】
情報取得装置３は、プロセッサ３１と第二メモリ３２を備えている。プロセッサ３１は、プロセッサ３１の例としては、ＣＰＵやＭＰＵが挙げられる。第二メモリ３２は、半導体メモリやハードディスクドライブなどによって構成されうる。第二メモリ３２には、情報取得装置３が使用されるサイトを示す第二サイト情報３２１が記憶されている。
【００１８】
第二サイト情報３２１は、情報取得装置３が設置される前に、ユーザによって所定の情報書込装置を通じて書き込まれる。あるいは、特定用途の情報取得装置（手術室でしか使用できないセンサなど）の場合は、製造時に予め書き込まれうる。
【００１９】
図２は、プロセッサ３１が情報取得装置３に行なわせる処理を示している。当該処理は、不図示のメモリ（ＲＯＭやＲＡＭなど）に記憶された命令がプロセッサ３１に実行されることによって行なわれる。
【００２０】
まず、プロセッサ３１は、センサ２との通信が可能な状態が成立しているかを情報取得装置３に判断させる（ステップＳ１）。通信が可能な状態が成立していなければ（ステップＳ１においてＮ）、成立するまで当該判断を情報取得装置３に繰り返させる。
【００２１】
センサ２との通信が可能な状態が成立すると（ステップＳ１においてＹ）、プロセッサ３１は、情報取得装置３に第一サイト情報２１１を取得させる（ステップＳ２）。情報取得装置３は、センサ２の第一メモリ２１から第一サイト情報２１１を取得する。
【００２２】
次に、プロセッサ３１は、情報取得装置３に第一サイト情報２１１と第二サイト情報３２１の比較を行なわせる（ステップＳ３）。情報取得装置３は、センサ２から取得した第一サイト情報２１１と第二メモリ３２に記憶されている第二サイト情報３２１とを比較する。
【００２３】
比較の結果、第一サイト情報２１１と第二サイト情報３２１が一致していると判断されると（ステップＳ３においてＹ）、プロセッサ３１は、情報取得装置３に患者４の生体情報を取得させる（ステップＳ４）。情報取得装置３は、センサ２を通じて患者４の生体情報を取得する。
【００２４】
比較の結果、第一サイト情報２１１と第二サイト情報３２１が一致していないと判断されると（ステップＳ３においてＮ）、プロセッサ３１は、情報取得装置３に報知処理を行なわせる（ステップＳ５）。例えば、第一サイト情報２１１が示すサイトが新生児治療室であり、第二サイト情報３２１が示すサイトが病棟である場合、情報取得装置３は、報知を行なう。
【００２５】
第一サイト情報２１１と第二サイト情報３２１が一致しているという比較結果は、センサ２が適切なサイトで使用されている事実を示している。他方、第一サイト情報２１１と第二サイト情報３２１が一致していないという比較結果は、何らかの理由によって本来はそのサイトに存在しないセンサ２が情報取得装置３と通信を行なっているという事実を示している。例えば、別のサイトで別の患者に使用されたセンサ２が当該患者とともに情報取得装置３が設置されているサイトに移動して来たという原因が考えられる。
【００２６】
したがって、報知処理は、ユーザに当該事実を認識させ、センサ２の交換を促すものでありうる。報知処理は、視覚的報知、聴覚的報知、および触覚的報知の少なくとも一つを用いて行なわれる。報知処理の例としては、アラーム音の生成、標識の点灯、メッセージの表示、振動の発生などが挙げられる。これにより、センサ２の誤用を防止できる。
【００２７】
情報取得装置３によって行なわれる報知は、第一サイト情報２１１を含みうる。例えば、第一サイト情報２１１が示すサイトが新生児治療室であり、第二サイト情報３２１が示すサイトが病棟である場合、情報取得装置３は、使用中のセンサ２が本来は新生児治療室で使用されるものである旨の情報を報知に含ませる。
【００２８】
このような構成によれば、情報取得装置３が設置されているサイトに本来あるべきでないセンサ２を、本来のサイトに返還するようユーザに促すことができる。これにより、センサ２の誤用を防止できるだけでなく、各サイトに生じた不慮のセンサ在庫の変動を正すことができる。
【００２９】
図２に破線で示されるように、報知処理が行なわれた場合、プロセッサ３１は、情報取得装置３に制限処理を実行させうる（ステップＳ６）。制限処理は、情報取得装置３と通信しているセンサ２の使用を制限させる処理である。制限処理の例としては、センサ２の即時使用禁止、センサ２の使用可能回数制限の設定、報知メッセージの継続出力などが挙げられる。
【００３０】
このような構成によれば、情報取得装置３が設置されているサイトに本来あるべきでないセンサ２をユーザが使用し続けることを抑制できる。よって、センサ２の誤用防止効果が高まる。
【００３１】
センサ２の第一メモリ２１に記憶される第一サイト情報２１１は、センサ２が使用されうる複数のサイトを含んでいてもよい。
【００３２】
このような構成によれば、複数のサイト間におけるセンサ２の共有が許容される。例えば手術室と集中治療室との間のように患者の移動が比較的多いサイト間では、同じセンサの使用を許容する方が効率的である。したがって、センサ２の誤用を防止しつつも、柔軟な運用が可能になる。
【００３３】
図２に破線で示されるように、プロセッサ３１は、情報取得装置３に使用履歴情報の記録処理を行なわせうる（ステップＳ７）。図１に破線で示されるように、情報取得装置３は、自身が設置されているサイトを示す第二サイト情報３２１を、使用履歴情報２１２としてセンサ２の第一メモリ２１に記録する。使用履歴情報２１２は、情報取得装置３や適宜の情報処理端末によって読み出し可能とされる。
【００３４】
このような使用履歴情報２１２は、センサが複数のサイトを移動しながら使用される場合（第一サイト情報２１１が複数のサイトを含む場合）において特に有効である。ユーザが最後に使用履歴情報２１２を確認することによって、当該センサが本来帰属すべきサイトへ容易に返還できる。これにより、各サイトにおける不慮のセンサ在庫の変動を抑制できる。
【００３５】
情報取得装置３による使用履歴情報２１２の記録は、センサ２との通信が可能となった後の適宜のタイミングで行なうことが可能であるが、図２に示されるように、生体情報の取得後に行なわれることが好ましい。
【００３６】
この場合、本来使用されるべきセンサとは異なるセンサをユーザが誤って情報取得装置３に接続してしまった場合に意図しない使用履歴情報２１２が記録されてしまうことを防止できる。生体情報の取得が行なわれた後であれば、取得のために使用したセンサは、意図的に情報取得装置３に接続された蓋然性が高いと言える。同様の効果を得るために、センサ２と情報取得装置３の通信時間が所定値に達した場合に使用履歴情報２１２が記録される構成も採用されうる。
【００３７】
情報取得装置３によって行なわれる比較処理（ステップＳ３）の結果、第一サイト情報２１１と第二サイト情報３２１が一致しておらず、かつセンサ２の第一メモリ２１に使用履歴情報２１２が記録されている場合、情報取得装置３によって行なわれる報知処理に使用履歴情報２１２を含めてもよい。使用履歴情報２１２は、情報取得装置３が表示を行なってもよいし、印刷レポートのような形式で出力されてもよい。
【００３８】
このような使用履歴情報２１２の報知は、センサが複数のサイトを移動しながら使用される場合（第一サイト情報２１１が複数のサイトを含む場合）において特に有効である。報知された使用履歴情報２１２を確認することによって、当該センサを返還すべきサイトを容易に把握できるだけでなく、誤った移動が生じる原因を検討する材料にもなりうる。
【００３９】
プロセッサ３１は、使用履歴情報２１２によって示されるセンサ２がこれまでに使用された複数のサイトが所定の順序である場合、情報取得装置３に報知を行なわせうる。所定の順序とは、通常の医療業務フローにおいてあり得ない順序や、あってはならない順序を意味する。例えば、集中治療室に救命医療エリアが後続する場合などが挙げられる。
【００４０】
このような構成は、センサが複数のサイトを移動しながら使用される場合（第一サイト情報２１１が複数のサイトを含む場合）において特に有効である。許容されている複数のサイト間で本来はあり得ないセンサの移動が生じた場合に、その旨を報知することができる。
【００４１】
例えば、第一サイト情報２１１として救命医療エリアと集中治療室が登録されているセンサ２が集中治療室から救命医療エリアに移動してきた場合、第二サイト情報３２１との比較だけでは報知は行なわれない。しかしながら使用履歴情報２１２が集中治療室から救命医療エリアへの移動を示していれば、この許されないセンサ２の移動を特定できる。
【００４２】
図１に破線で示されるように、情報取得装置３は、外部の管理装置５と通信可能に接続されうる。この場合、図２に破線で示されるように、プロセッサ３１は、情報取得装置３に通知処理を行なわせうる（ステップＳ８）。情報取得装置３は、センサ２の第一メモリ２１から読み出した使用履歴情報２１２を管理装置５に通知する。
【００４３】
このような構成によれば、各サイトに設置された情報取得装置３から通知される使用履歴情報を、管理装置５によって一括管理できる。これにより、各サイトにおけるセンサの在庫管理や利用実態の把握が容易になる。
【００４４】
図１に破線で示されるように、条件情報２１３がセンサ２の第一メモリ２１に記憶されうる。条件情報２１３は、情報取得装置３の動作条件を示す情報を含んでいる。条件情報２１３の例としては、患者４の背景情報（年齢、疾患、リスク因子、施された処置など）やセンサ２の特性情報（製品番号、使用条件、使用回数など）が挙げられる。
【００４５】
情報取得装置３によって行なわれる比較処理（ステップＳ３）の結果、第一サイト情報２１１と第二サイト情報３２１が一致している場合、プロセッサ３１は、情報取得装置３に第一メモリ２１内の条件情報２１３を読み出させる（ステップＳ９）。プロセッサ３１は、情報取得装置３に条件情報２１３に応じた設定に基づいて生体情報の取得を行なわせる。例えば、患者４の背景情報やセンサ２の特性情報に応じた測定条件が情報取得装置３において自動的に設定される。
【００４６】
このような構成によれば、センサ２が複数のサイトを移動して異なる情報取得装置３に接続される場合においても、同一の情報取得条件を容易に設定できる。これにより、設定に係る医療従事者の負担を抑制しつつ、生体情報の取得精度を向上できる。
【００４７】
図３は、センサ２の一構成例を示している。センサ２は、装着部２２、コネクタ２３、およびケーブル２４を備えうる。装着部２２は、患者４の身体に装着される部分であり、センサ素子を含んでいる。コネクタ２３は、情報取得装置３との通信を可能にする部分である。コネクタ２３は、情報取得装置３に対して直接的に接続されてもよいし、中継ケーブルなどを介して間接的に接続されてもよい。ケーブル２４は、装着部２２とコネクタ２３を接続している。ケーブル２４は、生体情報の取得に必要な信号線や給電線を収容している。
【００４８】
この場合、第一メモリ２１は、コネクタ２３に設けられることが好ましい。情報取得装置３との通信を可能にするために必要な構成であるコネクタ２３に第一メモリ２１を設けることにより、患者４の身体に装着される装着部２２の大型化を回避できる。すなわち、センサ２の誤用防止のために必要な情報を記憶する第一メモリ２１を設けつつも、患者４に煩わしさを感じさせないようにできる。
【００４９】
上記の実施形態は本発明の理解を容易にするためのものであって、本発明を限定するものではない。本発明は、その趣旨を逸脱することなく変更・改良されうる。
【符号の説明】
【００５０】
１：生体情報処理システム、２：センサ、２１：第一メモリ、２１１：第一サイト情報、２１２：使用履歴情報、２１３：条件情報、２２：装着部、２３：コネクタ、３：情報取得装置、３１：プロセッサ、３２：第二メモリ、３２１：第二サイト情報、４：患者、５：管理装置
【図１】
2019005159.tif 000003
【図２】
2019005159.tif 000004
【図３】
2019005159.tif 000005